(57)【要約】【課題】「ＣＡ」が適用されている場合であっても、ハンドオーバ処理において、安全に、ＫｅＮＢ＊を生成する。【解決手段】本発明に係る移動通信システムは、セル＃１からセル＃４に移動局ＵＥをハンドオーバさせる移動通信方法であって、セル＃１を管理する無線基地局ｅＮＢ＃１が、生成したＲａｎｄと、セル＃１と移動局ＵＥとの間の通信で用いられていたＫｅＮＢ或いはＩｎｔｉａｌ  ＫｅＮＢを用いて算出されるＮＨとに基づいて、セル＃４と移動局ＵＥとの間の通信で用いられるＫｅＮＢを生成するためのＫｅＮＢ＊を生成する工程を有する。【選択図】図５
2011041158.tif 000002
【特許請求の範囲】
【請求項１】
第１セルから第２セルに移動局をハンドオーバさせる移動通信方法であって、
前記第１セルを管理する無線基地局が、生成した乱数と、該第１セルと前記移動局との間の通信で用いられていた第１鍵或いは交換局から通知された所定情報とに基づいて、前記第２セルと該移動局との間の通信で用いられる第２鍵を生成するための中間鍵を生成する工程を有することを特徴とする移動通信方法。
【請求項２】
前記第１セルを管理する無線基地局が、ハンドオーバ指示信号によって、前記移動局に対して、前記所定情報に係る所定カウンタ及び前記乱数を送信する工程と、
前記移動局が、受信した前記所定カウンタ及び前記乱数と、前記第１セルとの間の通信で用いられていた第１鍵或いは親鍵を用いて算出される所定情報とに基づいて、前記第２セルとの間の通信で用いられる第２鍵を生成するための中間鍵を生成する工程を有することを特徴とする請求項１に記載の移動通信方法。
【請求項３】
第１セルから第２セルに移動局をハンドオーバさせる移動通信方法であって、
前記第２セルを管理する無線基地局が、交換局から受信した所定情報と、生成した乱数とに基づいて、該第２セルと該移動局との間の通信で用いられる第２鍵を生成するための中間鍵を生成する工程を有することを特徴とする移動通信方法。
【請求項４】
前記交換局が、前記第１セルを管理する無線基地局に対して、前記第２セルを管理する無線基地局から受信した前記所定情報に係る所定カウンタ及び前記乱数を送信する工程と、
前記第１セルを管理する無線基地局が、ハンドオーバ指示信号によって、前記移動局に対して、受信した前記所定カウンタ及び前記乱数を送信する工程と、
前記移動局が、受信した前記所定カウンタに基づいて親鍵を用いて前記所定情報を生成する工程と、
前記移動局が、受信した前記乱数と、生成した前記所定情報とに基づいて、前記第２セルとの間の通信で用いられる第２鍵を生成するための中間鍵を生成する工程を有することを特徴とする請求項３に記載の移動通信方法。
【請求項５】
第１セルから第２セルへの移動局のハンドオーバ処理において、該第１セルを管理する無線基地局であって、
乱数を生成するように構成されている乱数生成部と、
生成した前記乱数と、前記第１セルと前記移動局との間の通信で用いられていた第１鍵或いは交換局から通知された所定情報とに基づいて、前記第２セルと該移動局との間の通信で用いられる第２鍵を生成するための中間鍵生成するための中間鍵を生成するように構成されている鍵生成部とを具備することを特徴とする無線基地局。
【請求項６】
ハンドオーバ指示信号によって、前記移動局に対して、前記所定情報に係る所定カウンタ及び前記乱数を送信するように構成されているハンドオーバ処理部を更に具備することを特徴とする請求項５に記載の無線基地局。
【請求項７】
第１セルから第２セルへのハンドオーバ処理において、該第１セルを管理する無線基地局からハンドオーバ指示信号を介して受信した所定カウンタ及び乱数と、該第１セルとの間の通信で用いられていた第１鍵或いは親鍵を用いて算出される所定情報とに基づいて、該第２セルとの間の通信で用いられる第２鍵を生成するための中間鍵を生成するように構成されている鍵生成部を具備することを特徴とする移動局。
【請求項８】
第１セルから第２セルへの移動局のハンドオーバ処理において、該第２セルを管理する無線基地局であって、
乱数を生成するように構成されている乱数生成部と、
交換局から受信した所定情報と、生成した前記乱数とに基づいて、前記第２セルと前記移動局との間の通信で用いられる第２鍵を生成するための中間鍵を生成するように構成されている鍵生成部とを具備することを特徴とする無線基地局。
【請求項９】
第１セルから第２セルへのハンドオーバ処理において、ハンドオーバ指示信号を介して受信した所定カウンタ及び乱数と、親鍵を用いて算出される所定情報とに基づいて、該第２セルとの間の通信で用いられる第２鍵を生成するための中間鍵を生成するように構成されている鍵生成部を具備することを特徴とする移動局。
【発明の詳細な説明】
【技術分野】
【０００１】
本発明は、移動通信方法、無線基地局及び移動局に関する。
【背景技術】
【０００２】
ＬＴＥ（Ｒｅｌ-８）方式の移動通信システムにおいて、Ｘ２ハンドオーバ処理における移動局ＵＥとセルとの間の通信に用いられる鍵であるＫｅＮＢの更新方法、すなわち、「ｋｅｙ  ｃｈａｉｎ」について、図８に示す。
【０００３】
具体的には、第１に、ハンドオーバ元セルを管理する無線基地局Ｓ-ｅＮＢは、移動局ＵＥとハンドオーバ元セルとの間の通信で用いられているＫｅＮＢに対して、「ＰＣＩ（Ｐｈｙｓｉｃａｌ  Ｃｅｌｌ  ＩＤ）/ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）  ｂｉｎｄｉｎｇ処理」を施して、ＫｅＮＢ＊を生成する。
【０００４】
ここで、無線基地局Ｓ-ｅＮＢは、ハンドオーバ先セルのＰＣＩ（Ｔａｒｇｅｔ  ＰＣＩ）及びＡＲＦＣＮ（Ｔａｒｇｅｔ  ＡＲＦＮＣ）を用いて、かかる「ＰＣＩ/ＡＲＦＣＮ  ｂｉｎｄｉｎｇ処理」を行うものとする。
【０００５】
第２に、無線基地局Ｓ-ｅＮＢは、生成したＫｅＮＢ＊を、ＮＣＣと共に、ハンドオーバ先セルを管理する無線基地局Ｔ-ｅＮＢに対して送信する。
【０００６】
第３に、無線基地局Ｔ-ｅＮＢは、無線基地局Ｓ-ｅＮＢから受信したＫｅＮＢ＊を、そのままＫｅＮＢとして、移動局ＵＥとハンドオーバ元セルとの間の通信で用いる。
【０００７】
第４に、移動局ＵＥは、必要に応じて、無線基地局Ｓ-ｅＮＢから受信した「ＨＯ  Ｃｏｍｍａｎｄ」に含まれるＮＣＣに基づいてＮＨを生成し、移動局ＵＥとハンドオーバ元セルとの間の通信で用いられているＫｅＮＢ或いはＮＨに基づいてＫｅＮＢ＊を生成し、生成したＫｅＮＢ＊を、そのままＫｅＮＢとして、ハンドオーバ元セルとの間の通信で用いる。
【０００８】
ここで、無線基地局Ｓ-ｅＮＢによってＰＣＩ/ＡＲＦＣＮ  ｂｉｎｄｉｎｇ処理」を行う理由は、ハンドオーバ処理が繰り返し行われる場合や、ハンドオーバ処理が途中でキャンセルされた後に再度ハンドオーバ処理が行われる場合や、複数の無線基地局ｅＮＢに対してハンドオーバ準備処理が行われる場合等のように、複数の無線基地局ｅＮＢに対して同一のＫｅＮＢ＊が送信されるという事態を防ぐためである。
【０００９】
なお、複数の無線基地局ｅＮＢに対して同一のＫｅＮＢ＊が送信されると、セキュリティ上、システムが脆弱になってしまう。
【先行技術文献】
【非特許文献】
【００１０】
【非特許文献１】３ＧＰＰ  ＴＳ３３.４０１
【非特許文献２】３ＧＰＰ  ＴＳ３６.３３１
【発明の概要】
【発明が解決しようとする課題】
【００１１】
しかしながら、ＬＴＥ方式の後継の通信方式であるＬＴＥ-Ａｄｖａｎｃｅｄ方式（ＬＴＥ（Ｒｅｌ-１０）方式の移動通信システムにおいて「Ｃａｒｒｉｅｒ  Ａｇｇｒｅｇａｔｉｏｎ（ＣＡ）」が適用されている場合、各「Ｃｏｍｐｏｎｅｎｔ  Ｃａｒｒｉｅｒ（ＣＣ）」のＰＣＩ及びＥ-ＡＲＦＣＮが異なる可能性があり、ハンドオーバ処理においてＫｅＮＢ＊を生成する際の「ＰＣＩ/ＡＲＦＣＮ  ｂｉｎｄｉｎｇ処理」で用いるべきＰＣＩ及びＡＲＦＣＮを一意に決定することができない可能性があるという問題点があった。
【００１２】
「ＣＡ」を行った場合に、各「ＣＣ」で同じＫｅＮＢを用いることが考えられるが、各「ＣＣ」のＰＣＩ及びＡＲＦＣＮが異なる可能性があるため、メインとなる「ＣＣ」、即ち「Ａｎｃｈｏｒ  ＣＣ」を指定する必要が生じる。
【００１３】
しかし、ハンドオーバ時に、ハンドオーバ先の無線基地局の事情により、「Ａｎｃｈｏｒ  ＣＣ」を変える必要が生じる場合がある。例えば、ハンドオーバ元とハンドオーバ先で、同じＡＲＦＣＮの「ＣＣ」が存在しない場合や、ハンドオーバ元で「Ａｎｃｈｏｒ  ＣＣ」となっていたＡＲＦＣＮに対応するハンドオーバ先の「ＣＣ」の負荷が高かった場合などである。
【００１４】
ハンドオーバ元の無線基地局では、ハンドオーバ先の無線基地局で、どの「ＣＣ」が「Ａｎｃｈｏｒ  ＣＣ」として選択されるか分からないため、ハンドオーバ元の無線基地局がＫｅＮＢ＊を生成してハンドオーバ先の無線基地局に転送する際に、ハンドオーバ先の無線基地局が管理する各「ＣＣ」のＰＣＩとＡＲＦＣＮに応じたＫｅＮＢ＊を生成し、これら全てをハンドオーバ先の無線基地局にハンドオーバ準備手順の中で転送する必要がある。
【００１５】
しかし、各「ＣＣ」に応じたＫｅＮＢ＊を生成するため、無線基地局の処理負荷が増大する問題があった。また、複数のＫｅＮＢ＊を転送するため、バックホールのシグナリング量が増大する問題があった。
【００１６】
そこで、本発明は、上述の課題に鑑みてなされたものであり、「ＣＡ」が適用されている場合であっても、ハンドオーバ処理において、無線基地局の処理負荷とバックホールのシグナリング量を抑えつつ、ＫｅＮＢ＊を生成することができる移動通信方法、無線基地局及び移動局を提供することを目的とする。
【課題を解決するための手段】
【００１７】
本発明の第１の特徴は、第１セルから第２セルに移動局をハンドオーバさせる移動通信方法であって、前記第１セルを管理する無線基地局が、生成した乱数と、該第１セルと前記移動局との間の通信で用いられていた第１鍵或いは交換局から通知された所定情報とに基づいて、前記第２セルと該移動局との間の通信で用いられる第２鍵を生成するための中間鍵を生成する工程を有することを要旨とする。
【００１８】
本発明の第２の特徴は、第１セルから第２セルに移動局をハンドオーバさせる移動通信方法であって、前記第２セルを管理する無線基地局が、交換局から受信した所定情報と、生成した乱数とに基づいて、該第２セルと該移動局との間の通信で用いられる第２鍵を生成するための中間鍵を生成する工程を有することを要旨とする。
【００１９】
本発明の第３の特徴は、第１セルから第２セルへの移動局のハンドオーバ処理において、該第１セルを管理する無線基地局であって、乱数を生成するように構成されている乱数生成部と、生成した前記乱数と、前記第１セルと前記移動局との間の通信で用いられていた第１鍵或いは交換局から通知された所定情報とに基づいて、前記第２セルと該移動局との間の通信で用いられる第２鍵を生成するための中間鍵を生成するように構成されている鍵生成部とを具備することを要旨とする。
【００２０】
本発明の第４の特徴は、移動局であって、第１セルから第２セルへのハンドオーバ処理において、該第１セルを管理する無線基地局からハンドオーバ指示信号を介して受信した所定カウンタ及び乱数と、該第１セルとの間の通信で用いられていた第１鍵或いは親鍵を用いて算出される所定情報とに基づいて、該第２セルとの間の通信で用いられる第２鍵を生成するための中間鍵を生成するように構成されている鍵生成部を具備することを要旨とする。
【００２１】
本発明の第５の特徴は、第１セルから第２セルへの移動局のハンドオーバ処理において、該第２セルを管理する無線基地局であって、乱数を生成するように構成されている乱数生成部と、交換局から受信した所定情報及び所定カウンタと、生成した前記乱数とに基づいて、前記第２セルと前記移動局との間の通信で用いられる第２鍵を生成するための中間鍵を生成するように構成されている鍵生成部とを具備することを要旨とする。
【００２２】
本発明の第６の特徴は、移動局であって、第１セルから第２セルへのハンドオーバ処理において、ハンドオーバ指示信号を介して受信した所定カウンタ及び乱数と、親鍵を用いて算出される所定情報とに基づいて、該第２セルとの間の通信で用いられる第２鍵を生成するための中間鍵を生成するように構成されている鍵生成部を具備することを要旨とする。
【発明の効果】
【００２３】
以上説明したように、本発明によれば、「ＣＡ」が適用されている場合であっても、ハンドオーバ処理において、安全に、ＫｅＮＢ＊を生成することができる移動通信方法、無線基地局及び移動局を提供することができる。
【図面の簡単な説明】
【００２４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける鍵の更新方法について説明するための図である。
【図４】本発明の第１の実施形態に係る移動局の機能ブロック図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【図８】ＬＴＥ（Ｒｅｌ-８）方式の移動通信システムにおける鍵の更新方法について説明するための図である。
【発明を実施するための形態】
【００２５】
（本発明の第１の実施形態に係る移動通信システムの構成）
図１乃至図４を参照して、本発明の第１の実施形態に係る移動通信システムの構成について説明する。
【００２６】
本実施形態に係る移動通信システムは、ＬＴＥ-Ａｄｖｅｎｃｅｄ方式の移動通信システムであり、図１に示すように、交換局ＭＭＥと、無線基地局ｅＮＢ＃１/ｅＮＢ＃２とを具備している。
【００２７】
無線基地局ｅＮＢ＃１は、「ＰＣＩ＝１」及び「ＡＲＦＣＮ＝Ｆ１」によって特定されるセル＃１と、「ＰＣＩ＝２」及び「ＡＲＦＣＮ＝Ｆ２」によって特定されるセル＃２と、「ＰＣＩ＝３」及び「ＡＲＦＣＮ＝Ｆ３」によって特定されるセル＃３とを管理している。
【００２８】
また、無線基地局ｅＮＢ＃２は、「ＰＣＩ＝４」及び「ＡＲＦＣＮ＝Ｆ１」によって特定されるセル＃４と、「ＰＣＩ＝５」及び「ＡＲＦＣＮ＝Ｆ２」によって特定されるセル＃５と、「ＰＣＩ＝６」及び「ＡＲＦＣＮ＝Ｆ３」によって特定されるセル＃６とを管理している。
【００２９】
本実施形態において、無線基地局ｅＮＢ＃１の構成及び無線基地局ｅＮＢ＃２の構成は、基本的に同一であるため、以下、無線基地局ｅＮＢの構成として説明する。
【００３０】
図２に示すように、無線基地局ｅＮＢは、乱数生成部１１と、鍵生成部１２と、ハンドオーバ処理部１３とを具備している。
【００３１】
乱数生成部１１は、ハンドオーバ処理において、乱数「Ｒａｎｄ」を生成するように構成されている。
【００３２】
具体的には、第１セル（例えば、セル＃１）から第２セル（例えば、セル＃４）への移動局ＵＥのＸ２ハンドオーバ処理では、第１セルを管理する無線基地局ｅＮＢ（例えば、無線基地局ｅＮＢ＃１）の乱数生成部１１が、Ｒａｎｄを生成するように構成されている。
【００３３】
また、第１セル（例えば、セル＃１）から第２セル（例えば、セル＃４）への移動局ＵＥのＳ１ハンドオーバ処理では、第２セルを管理する無線基地局ｅＮＢ（例えば、無線基地局ｅＮＢ＃２）の乱数生成部１１が、Ｒａｎｄを生成するように構成されている。
【００３４】
鍵生成部１２は、ハンドオーバ処理において、移動局ＵＥと無線基地局ｅＮＢ配下のセルとの間の通信で用いられる鍵「ＫｅＮＢ」を生成するための中間鍵「ＫｅＮＢ＊」を生成するように構成されている。
【００３５】
具体的には、第１セル（例えば、セル＃１）から第２セル（例えば、セル＃４）への移動局ＵＥのＸ２ハンドオーバ処理では、第１セルを管理する無線基地局ｅＮＢ（例えば、無線基地局ｅＮＢ＃１）の鍵生成部１２が、ＫｅＮＢ＊を生成するように構成されている。
【００３６】
例えば、図３に示すように、第１セル（例えば、セル＃１）から第２セル（例えば、セル＃４）への移動局ＵＥのＸ２ハンドオーバ処理において、第１セルを管理する無線基地局ｅＮＢ（例えば、無線基地局ｅＮＢ＃１）の鍵生成部１２が、移動局ＵＥと第１セルとの間の通信で用いられている第１鍵「ＫｅＮＢ」及び乱数生成部１１によって生成された乱数「Ｒａｎｄ」に基づいて、移動局ＵＥと第２セルとの間の通信で用いられる第２鍵「ＫｅＮＢ」を生成するための中間鍵「ＫｅＮＢ＊」を生成するように構成されていてもよい。
【００３７】
ここで、第１セルを管理する無線基地局ｅＮＢの鍵生成部１２は、従来のような「ＰＣＩ/ＡＲＦＣＮ  ｂｉｎｄｉｎｇ処理」を行うことなく、第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、中間鍵「ＫｅＮＢ＊」を生成するように構成されていてもよい。
【００３８】
なお、「ＫＤＦ（Ｋｅｙ  Ｄｅｒｉｖａｔｉｏｎ  Ｆｕｎｃｔｉｏｎ）」は、不可逆変換の関数であり、出力（ＫｅＮＢ＊）から入力（ＫｅＮＢ）を算出することができないという性質を有する。
【００３９】
その結果、第２セルを管理している無線基地局ｅＮＢが、移動局ＵＥと第１セルとの間の通信で用いられていた第１鍵「ＫｅＮＢ」を推定することができないという効果を奏する。
【００４０】
或いは、図３に示すように、第１セル（例えば、セル＃１）から第２セル（例えば、セル＃４）への移動局ＵＥのＸ２ハンドオーバ処理において、第１セルを管理する無線基地局ｅＮＢ（例えば、無線基地局ｅＮＢ＃１）の鍵生成部１２が、交換局ＭＭＥから通知された所定情報「ＮＨ」及び乱数生成部１１によって生成された乱数「Ｒａｎｄ」に基づいて、移動局ＵＥと第２セルとの間の通信で用いられる第２鍵「ＫｅＮＢ」を生成するための中間鍵「ＫｅＮＢ＊」を生成するように構成されていてもよい。
【００４１】
ここで、第１セルを管理する無線基地局ｅＮＢの鍵生成部１２は、従来のような「ＰＣＩ/ＡＲＦＣＮ  ｂｉｎｄｉｎｇ処理」を行うことなく、交換局ＭＭＥから通知された所定カウンタ「ＮＣＣ（図３における行番号）」に対応する所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、中間鍵「ＫｅＮＢ＊」を生成するように構成されていてもよい。
【００４２】
この結果、図３における行を変えることができ、それまで更新されてきたＫｅＮＢの連続性（ｃｈａｉｎ）を断ち切ることで、システムのセキュリティを高めることができる。
【００４３】
また、第１セル（例えば、セル＃１）から第２セル（例えば、セル＃４）への移動局ＵＥのＳ１ハンドオーバ処理では、第２セルを管理する無線基地局ｅＮＢ（例えば、無線基地局ｅＮＢ＃２）の鍵生成部１２が、ＫｅＮＢ＊を生成するように構成されている。
【００４４】
図３に示すように、第１セル（例えば、セル＃１）から第２セル（例えば、セル＃４）への移動局ＵＥのＳ１ハンドオーバ処理において、第２セルを管理する無線基地局ｅＮＢ（例えば、無線基地局ｅＮＢ＃２）の鍵生成部１２が、交換局ＭＭＥから通知された所定情報「ＮＨ」及び乱数生成部１１によって生成された乱数「Ｒａｎｄ」に基づいて、移動局ＵＥと第２セルとの間の通信で用いられる第２鍵「ＫｅＮＢ」を生成するための中間鍵「ＫｅＮＢ＊」を生成するように構成されていてもよい。
【００４５】
ここで、第２セルを管理する無線基地局ｅＮＢの鍵生成部１２は、従来のような「ＰＣＩ/ＡＲＦＣＮ  ｂｉｎｄｉｎｇ処理」を行うことなく、交換局ＭＭＥから通知された所定カウンタ「ＮＣＣ（図３における行番号）」に対応する所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、中間鍵「ＫｅＮＢ＊」を生成するように構成されていてもよい。
【００４６】
この結果、第１のセルを管理する無線基地局ｅＮＢが、移動局ＵＥと第２セルとの間の通信で用いられる第２鍵「ＫｅＮＢ」を知ることができないため、システムのセキュリティを高めることができる。
【００４７】
ハンドオーバ処理部１３は、移動局ＵＥや交換局ＭＭＥや他の無線基地局ｅＮＢとの間で、ハンドオーバ処理に係る信号を送受信するように構成されている。
【００４８】
例えば、第１セル（例えば、セル＃１）から第２セル（例えば、セル＃４）への移動局ＵＥのＸ２ハンドオーバ処理において、第１セルを管理する無線基地局ｅＮＢ（例えば、無線基地局ｅＮＢ＃１）のハンドオーバ処理部１３は、第２セルを管理する無線基地局ｅＮＢ（例えば、無線基地局ｅＮＢ＃２）に対して「ＨＯ  Ｐｒｅｐａｒａｔｉｏｎ（ハンドオーバ準備信号）」を送信し、第２セルを管理する無線基地局ｅＮＢから「ＨＯ  Ｐｒｅｐａｒａｔｉｏｎ  Ａｃｋ（ハンドオーバ準備応答信号）」や「Ｒｅｌｅａｓｅ  Ｒｅｓｏｕｒｃｅ（リソース開放信号）」を受信し、移動局ＵＥに対して「ＨＯ  Ｃｏｍｍａｎｄ（ハンドオーバ指示信号）」を送信し、移動局ＵＥから「Ｍｅａｓｕｒｅｍｅｎｔ  Ｒｅｐｏｒｔ（測定報告信号）」を受信するように構成されていてもよい。
【００４９】
また、第１セル（例えば、セル＃１）から第２セル（例えば、セル＃４）への移動局ＵＥのＸ２ハンドオーバ処理において、第２セルを管理する無線基地局ｅＮＢ（例えば、無線基地局ｅＮＢ＃２）のハンドオーバ処理部１３は、第１セルを管理する無線基地局ｅＮＢ（例えば、無線基地局ｅＮＢ＃１）から「ＨＯ  Ｐｒｅｐａｒａｔｉｏｎ（ハンドオーバ準備信号）」を受信し、第１セルを管理する無線基地局ｅＮＢに対して「ＨＯ  Ｐｒｅｐａｒａｔｉｏｎ  Ａｃｋ（ハンドオーバ準備応答信号）」や「Ｒｅｌｅａｓｅ  Ｒｅｓｏｕｒｃｅ（リソース開放信号）」を送信し、移動局ＵＥから「ＨＯ  Ｃｏｍｐｌｅｔｅ（ハンドオーバ完了信号）」を受信し、交換局ＭＭＥに対して「Ｐａｔｈ  Ｓｗｉｔｃｈ（経路切替信号）」を送信し、交換局ＭＭＥから「Ｐａｔｈ  Ｓｗｉｔｃｈ  Ａｃｋ（経路切替応答信号）」を受信するように構成されていてもよい。
【００５０】
また、第１セル（例えば、セル＃１）から第２セル（例えば、セル＃４）への移動局ＵＥのＸ２ハンドオーバ処理において、第１セルを管理する無線基地局ｅＮＢ（例えば、無線基地局ｅＮＢ＃１）のハンドオーバ処理部１３は、移動局ＵＥに対して「ＨＯ  Ｃｏｍｍａｎｄ（ハンドオーバ指示信号）」を送信し、移動局ＵＥから「Ｍｅａｓｕｒｅｍｅｎｔ  Ｒｅｐｏｒｔ（測定報告信号）」を受信し、交換局ＭＭＥに対して「ＨＯ  Ｒｅｑｕｉｒｅｄ（ハンドオーバ要求信号）」を送信し、交換局ＭＭＥから「ＨＯ  Ｒｅｑｕｉｒｅｄ  Ａｃｋ（ハンドオーバ要求応答信号）」や「Ｒｅｌｅａｓｅ  Ｒｅｓｏｕｒｃｅ（リソース開放信号）」を受信するように構成されていてもよい。
【００５１】
さらに、第１セル（例えば、セル＃１）から第２セル（例えば、セル＃４）への移動局ＵＥのＸ２ハンドオーバ処理において、第２セルを管理する無線基地局ｅＮＢ（例えば、無線基地局ｅＮＢ＃２）のハンドオーバ処理部１３は、移動局ＵＥから「ＨＯ  Ｃｏｍｐｌｅｔｅ（ハンドオーバ完了信号）」を受信し、交換局ＭＭＥに対して「ＨＯ  Ｐｒｅｐａｒａｔｉｏｎ  Ａｃｋ（ハンドオーバ準備応答信号）」や「ＨＯ  Ｃｏｍｐｌｅｔｅ（ハンドオーバ完了信号）」を送信し、交換局ＭＭＥから「ＨＯ  Ｐｒｅｐａｒａｔｉｏｎ（ハンドオーバ準備信号）」を受信するように構成されていてもよい。
【００５２】
図４に示すように、移動局ＵＥは、ハンドオーバ処理部２１と、鍵生成部２２とを具備している。
【００５３】
ハンドオーバ処理部２１は、交換局ＭＭＥや無線基地局ｅＮＢとの間で、ハンドオーバ処理に係る信号を送受信するように構成されている。
【００５４】
例えば、第１セル（例えば、セル＃１）から第２セル（例えば、セル＃４）への移動局ＵＥのＸ２ハンドオーバ処理及びＳ１ハンドオーバ処理において、ハンドオーバ処理部２１は、第１セルを管理する無線基地局ｅＮＢ（例えば、無線基地局ｅＮＢ＃１）に対して「Ｍｅａｓｕｒｅｍｅｎｔ  Ｒｅｐｏｒｔ（測定報告信号）」を送信し、第１セルを管理する無線基地局ｅＮＢから「ＨＯ  Ｃｏｍｍａｎｄ（ハンドオーバ指示信号）」を受信し、第２セルを管理する無線基地局ｅＮＢ（例えば、無線基地局ｅＮＢ＃２）に対して「ＨＯ  Ｃｏｍｐｌｅｔｅ（ハンドオーバ完了信号）」を送信するように構成されていてもよい。
【００５５】
鍵生成部２２は、ハンドオーバ処理において、ハンドオーバ先セルとの間の通信で用いられる第２鍵「ＫｅＮＢ」を生成するための中間鍵「ＫｅＮＢ＊」を生成するように構成されている。
【００５６】
例えば、図３に示すように、第１セル（例えば、セル＃１）から第２セル（例えば、セル＃４）への移動局ＵＥのＸ２ハンドオーバ処理において、鍵生成部２２は、第１セルとの間の通信で用いられている第１鍵「ＫｅＮＢ」及び第１セルを管理する無線基地局ｅＮＢ（例えば、無線基地局ｅＮＢ＃１）によって「ＨＯ  Ｃｏｍｍａｎｄ」を介して通知された乱数「Ｒａｎｄ」に基づいて、第２セルとの間の通信で用いられる第２鍵「ＫｅＮＢ」を生成するための中間鍵「ＫｅＮＢ＊」を生成するように構成されていてもよい。
【００５７】
ここで、鍵生成部２２は、従来のような「ＰＣＩ/ＡＲＦＣＮ  ｂｉｎｄｉｎｇ処理」を行うことなく、第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、中間鍵「ＫｅＮＢ＊」を生成するように構成されていてもよい。
【００５８】
或いは、図３に示すように、第１セル（例えば、セル＃１）から第２セル（例えば、セル＃４）への移動局ＵＥのＸ２ハンドオーバ処理及びＳ１ハンドオーバ処理において、鍵生成部２２は、「ＨＯ  Ｃｏｍｍａｎｄ」を介して通知された所定カウンタ「ＮＣＣ」に対応する所定情報「ＮＨ」を算出し、算出した所定情報「ＮＨ」及び「ＨＯ  Ｃｏｍｍａｎｄ」を介して通知された乱数「Ｒａｎｄ」に基づいて、第２セルとの間の通信で用いられる第２鍵「ＫｅＮＢ」を生成するための中間鍵「ＫｅＮＢ＊」を生成するように構成されていてもよい。
【００５９】
ここで、鍵生成部２２は、従来のような「ＰＣＩ/ＡＲＦＣＮ  ｂｉｎｄｉｎｇ処理」を行うことなく、所定カウンタ「ＮＣＣ」に対応する所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、中間鍵「ＫｅＮＢ＊」を生成するように構成されていてもよい。
【００６０】
なお、鍵生成部２２は、「ＮＨ＝ＫＤＦ（ＫＡＳＭＥ，ＮＨ）」の計算を行うことによって、所定カウンタ「ＮＣＣ」に対応する所定情報「ＮＨ」を算出するように構成されていてもよい。
【００６１】
（本発明の第１の実施形態に係る移動通信システムの動作）
図５乃至図７を参照して、本発明の第１の実施形態に係る移動通信システムの動作について説明する。
【００６２】
第１に、図５を参照して、本実施形態に係る移動通信システムにおいて、セル＃１からセル＃４への移動局ＵＥのＸ２ハンドオーバ処理（ｈｏｒｉｚｏｎｔａｌ  ｄｅｒｉｖａｔｉｏｎ）を行う際の動作について説明する。
【００６３】
図５に示すように、ステップＳ１００１において、移動局ＵＥは、セル＃１を管理する無線基地局ｅＮＢ＃１に対して、「Ｍｅａｓｕｒｅｍｅｎｔ  Ｒｅｐｏｒｔ」を送信する。
【００６４】
ステップＳ１００２において、無線基地局ｅＮＢ＃１は、セル＃１からセル＃４への移動局ＵＥのＸ２ハンドオーバ処理を開始することを決定すると、乱数「Ｒａｎｄ」を生成し、セル＃１と移動局ＵＥとの間の通信で用いられている第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、セル＃４と移動局ＵＥとの間の通信で用いられる第２鍵「ＫｅＮＢ」を生成するための中間鍵「ＫｅＮＢ＊」を生成する。
【００６５】
ステップＳ１００３において、セル＃４を管理する無線基地局ｅＮＢ＃２に対して、所定カウンタ「ＮＣＣ」と中間鍵「ＫｅＮＢ＊」と乱数「Ｒａｎｄ」とを含む「ＨＯ  Ｐｒｅｐａａｒｔｉｏｎ」を送信する。
【００６６】
ステップＳ１００４において、無線基地局ｅＮＢ＃２は、受信した「ＨＯ  Ｐｒｅｐａａｒｔｉｏｎ」に含まれる中間鍵「ＫｅＮＢ＊」を、そのままセル＃４と移動局ＵＥとの間の通信で用いられる第２鍵「ＫｅＮＢ」とする。
【００６７】
ステップＳ１００５において、無線基地局ｅＮＢ＃２は、無線基地局ｅＮＢ＃１に対して、所定カウンタ「ＮＣＣ」と乱数「Ｒａｎｄ」とを含む「ＨＯ  Ｐｒｅｐａａｒｔｉｏｎ  Ａｃｋ」を送信する。
【００６８】
ステップＳ１００６において、無線基地局ｅＮＢ＃１は、移動局ＵＥに対して、所定カウンタ「ＮＣＣ」と乱数「Ｒａｎｄ」とを含む「ＨＯ  Ｃｏｍｍａｎｄ」を送信する。
【００６９】
ステップＳ１００７において、移動局ＵＥは、セル＃１との間の通信で用いられている第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、セル＃４と移動局ＵＥとの間の通信で用いられる第２鍵「ＫｅＮＢ」を生成するための中間鍵「ＫｅＮＢ＊」を生成するように構成されていてもよい。
【００７０】
ここで、移動局ＵＥは、生成した中間鍵「ＫｅＮＢ＊」を、そのままセル＃４との間の通信で用いられる第２鍵「ＫｅＮＢ」とする。
【００７１】
ステップＳ１００８において、移動局ＵＥは、無線基地局ｅＮＢ＃２に対して、「ＨＯ  Ｃｏｍｐｌｅｔｅ」を送信し、ステップＳ１００９において、無線基地局ｅＮＢ＃２は、交換局ＭＭＥに対して、「Ｐａｔｈ  Ｓｗｉｔｃｈ」を送信する。
【００７２】
交換局ＭＭＥは、ステップＳ１０１０において、「ＮＨ＝ＫＤＦ（ＫＡＳＭＥ，ＮＨ）」の計算を行うことによって、所定情報「ＮＨ」を更新し、ステップＳ１０１１において、無線基地局ｅＮＢ＃２に対して、更新した所定情報「ＮＨ」と当該所定情報「ＮＨ」に対応する所定カウンタ「ＮＣＣ」とを含む「Ｐａｔｈ  Ｓｗｉｔｃｈ  Ａｃｋ」を送信する。
【００７３】
ステップＳ１０１２において、無線基地局ｅＮＢ＃２は、無線基地局ｅＮＢ＃１に対して、移動局ＵＥとセル＃１との間で確立されていた無線リンクを解放するように指示する「Ｒｅｌｅａｓｅ  Ｒｅｓｏｕｒｃｅ」を送信する。
【００７４】
第２に、図６を参照して、本実施形態に係る移動通信システムにおいて、セル＃１からセル＃４への移動局ＵＥのＸ２ハンドオーバ処理（ｖｅｒｔｉｃａｌ  ｄｅｒｉｖａｔｉｏｎ）を行う際の動作について説明する。
【００７５】
図６に示すように、ステップＳ２００１において、移動局ＵＥは、セル＃１を管理する無線基地局ｅＮＢ＃１に対して、「Ｍｅａｓｕｒｅｍｅｎｔ  Ｒｅｐｏｒｔ」を送信する。
【００７６】
ステップＳ２００２において、無線基地局ｅＮＢ＃１は、セル＃１からセル＃４への移動局ＵＥのＸ２ハンドオーバ処理を開始することを決定すると、乱数「Ｒａｎｄ」を生成し、交換局ＭＭＥから通知されている最新の所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、セル＃４と移動局ＵＥとの間の通信で用いられる第２鍵「ＫｅＮＢ」を生成するための中間鍵「ＫｅＮＢ＊」を生成する。
【００７７】
ステップＳ２００３において、セル＃４を管理する無線基地局ｅＮＢ＃２に対して、ステップＳ２００２で用いた所定情報「ＮＨ」に対応する所定カウンタ「ＮＣＣ」と中間鍵「ＫｅＮＢ＊」と乱数「Ｒａｎｄ」とを含む「ＨＯ  Ｐｒｅｐａａｒｔｉｏｎ」を送信する。
【００７８】
ステップＳ２００４において、無線基地局ｅＮＢ＃２は、受信した「ＨＯ  Ｐｒｅｐａａｒｔｉｏｎ」に含まれる中間鍵「ＫｅＮＢ＊」を、そのままセル＃４と移動局ＵＥとの間の通信で用いられる第２鍵「ＫｅＮＢ」とする。
【００７９】
ステップＳ２００５において、無線基地局ｅＮＢ＃２は、無線基地局ｅＮＢ＃１に対して、所定カウンタ「ＮＣＣ」と乱数「Ｒａｎｄ」とを含む「ＨＯ  Ｐｒｅｐａａｒｔｉｏｎ  Ａｃｋ」を送信する。
【００８０】
ステップＳ２００６において、無線基地局ｅＮＢ＃１は、移動局ＵＥに対して、所定カウンタ「ＮＣＣ」と乱数「Ｒａｎｄ」とを含む「ＨＯ  Ｃｏｍｍａｎｄ」を送信する。
【００８１】
ステップＳ２００７において、移動局ＵＥは、受信した「ＨＯ  Ｃｏｍｍａｎｄ」に含まれる所定カウンタ「ＮＣＣ」に対応する所定情報「ＮＨ」を、「ＮＨ＝ＫＤＦ（ＫＡＳＭＥ，ＮＨ）」の計算を行うことによって算出する。
【００８２】
そして、移動局ＵＥは、算出した所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、セル＃４と移動局ＵＥとの間の通信で用いられる第２鍵「ＫｅＮＢ」を生成するための中間鍵「ＫｅＮＢ＊」を生成するように構成されていてもよい。
【００８３】
ここで、移動局ＵＥは、生成した中間鍵「ＫｅＮＢ＊」を、そのままセル＃４との間の通信で用いられる第２鍵「ＫｅＮＢ」とする。
【００８４】
以下、ステップＳ２００８乃至Ｓ２０１２の動作は、図４に示すステップＳ１００８乃至Ｓ１０１２の動作と同一である。
【００８５】
第３に、図７を参照して、本実施形態に係る移動通信システムにおいて、セル＃１からセル＃４への移動局ＵＥのＳ１ハンドオーバ処理（ｖｅｒｔｉｃａｌ  ｄｅｒｉｖａｔｉｏｎ）を行う際の動作について説明する。
【００８６】
図７に示すように、ステップＳ３００１において、移動局ＵＥは、セル＃１を管理する無線基地局ｅＮＢ＃１に対して、「Ｍｅａｓｕｒｅｍｅｎｔ  Ｒｅｐｏｒｔ」を送信する。
【００８７】
ステップＳ３００２において、無線基地局ｅＮＢ＃１は、セル＃１からセル＃４への移動局ＵＥのＳ１ハンドオーバ処理を開始することを決定すると、交換局ＭＭＥに対して、「ＨＯ  Ｒｅｑｕｉｒｅｄ」を送信する。
【００８８】
交換局ＭＭＥは、ステップＳ３００３において、「ＮＨ＝ＫＤＦ（ＫＡＳＭＥ，ＮＨ）」の計算を行うことによって、所定情報「ＮＨ」を更新し、ステップＳ３００４において、セル＃４を管理している無線基地局ｅＮＢ＃２に対して、更新した所定情報「ＮＨ」と当該所定情報「ＮＨ」に対応する所定カウンタ「ＮＣＣ」とを含む「ＨＯ  Ｐｒｅｐａｒａｔｉｏｎ」を送信する。
【００８９】
ステップＳ３００５において、無線基地局ｅＮＢ＃２は、乱数「Ｒａｎｄ」を生成し、交換局ＭＭＥから通知された所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、セル＃４と移動局ＵＥとの間の通信で用いられる第２鍵「ＫｅＮＢ」を生成するための中間鍵「ＫｅＮＢ＊」を生成する。
【００９０】
ここで、無線基地局ｅＮＢ＃２は、生成した中間鍵「ＫｅＮＢ＊」を、そのままセル＃４と移動局ＵＥとの間の通信で用いられる第２鍵「ＫｅＮＢ」とする。
【００９１】
ステップＳ３００６において、無線基地局ｅＮＢ＃２は、交換局ＭＭＥに対して、所定カウンタ「ＮＣＣ」と乱数「Ｒａｎｄ」とを含む「ＨＯ  Ｐｒｅｐａｒａｔｉｏｎ  Ａｃｋ」を送信する。
【００９２】
ステップＳ３００７において、交換局ＭＭＥは、無線基地局ｅＮＢ＃１に対して、所定カウンタ「ＮＣＣ」と乱数「Ｒａｎｄ」とを含む「ＨＯ  Ｒｅｑｕｉｒｅｄ  Ａｃｋ」を送信する。
【００９３】
ステップＳ３００８において、無線基地局ｅＮＢ＃１は、移動局ＵＥに対して、所定カウンタ「ＮＣＣ」と乱数「Ｒａｎｄ」とを含む「ＨＯ  Ｃｏｍｍａｎｄ」を送信する。
【００９４】
ステップＳ３００９において、移動局ＵＥは、受信した「ＨＯ  Ｃｏｍｍａｎｄ」に含まれる所定カウンタ「ＮＣＣ」に対応する所定情報「ＮＨ」を、「ＮＨ＝ＫＤＦ（ＫＡＳＭＥ，ＮＨ）」の計算を行うことによって算出する。
【００９５】
そして、移動局ＵＥは、算出した所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、セル＃４と移動局ＵＥとの間の通信で用いられる第２鍵「ＫｅＮＢ」を生成するための中間鍵「ＫｅＮＢ＊」を生成するように構成されていてもよい。
【００９６】
ここで、移動局ＵＥは、生成した中間鍵「ＫｅＮＢ＊」を、そのままセル＃４との間の通信で用いられる第２鍵「ＫｅＮＢ」とする。
【００９７】
ステップＳ３０１０において、移動局ＵＥは、無線基地局ｅＮＢ＃２に対して、「ＨＯ  Ｃｏｍｐｌｅｔｅ」を送信し、ステップＳ３０１１において、無線基地局ｅＮＢ＃２は、交換局ＭＭＥに対して、「ＨＯ  Ｃｏｍｐｌｅｔｅ」を送信する。
【００９８】
ステップＳ３０１２において、交換局ＭＭＥは、無線基地局ｅＮＢ＃１に対して、移動局ＵＥとセル＃１との間で確立されていた無線リンクを解放するように指示する「Ｒｅｌｅａｓｅ  Ｒｅｓｏｕｒｃｅ」を送信する。
【００９９】
なお、セル＃１からセル＃４への移動局ＵＥのＸ２ハンドオーバ処理において、セル＃１を管理する無線基地局ｅＮＢ＃１が、セル＃４を管理する無線基地局ｅＮＢ＃２の代わりに、乱数「Ｒａｎｄ」を生成し、上述の中間鍵「ＫｅＮＢ＊」を生成するように構成されていてもよい。
【０１００】
また、本発明は、第１セル（例えば、セル＃１）から第２セル（例えば、セル＃４）への移動局ＵＥのＩｎｔｒａ-ｅＮＢハンドオーバ処理にも適用可能である。かかるＩｎｔｒａ-ｅＮＢハンドオーバ処理では、第１セル及び第２セルが同一の無線基地局ｅＮＢ（例えば、無線基地局ｅＮＢ＃１）によって管理されているため、第１セルを管理する無線基地局ｅＮＢと第２セルを管理する無線基地局ｅＮＢとの間の信号のやり取りや、第１セルを管理する無線基地局ｅＮＢ又は第２セルを管理する無線基地局ｅＮＢと交換局ＭＭＥとの間の信号のやり取りが省略されてもよい。
【０１０１】
なお、上述の実施形態では、ハンドオーバ元の第１セルは、例えばセル＃１であり、ハンドオーバ先の第２セルは、例えばセル＃４であると述べた。
【０１０２】
「ＣＡ」が適用された場合は、ハンドオーバ元の第１セルは、複数の「ＣＣ」によって構成されてよい。また、ハンドオーバ先の第２セルも、複数の「ＣＣ」によって構成されてよい。また、各「ＣＣ」は、それぞれ「セル＃１」、「セル＃２」、「セル＃３」、「セル＃４」、「セル＃５」、「セル＃６」などに対応してよい。
【０１０３】
すなわち、例えば、第１セルは、セル＃１及びセル＃２の２つの「ＣＣ」で構成されてもよく、第２セルは、セル＃４とセル＃５とセル＃６の３つの「ＣＣ」で構成されてもよい。
【０１０４】
本発明では、第１セルや第２セルを構成する各「ＣＣ」において、同じＫｅＮＢを適用することが趣旨となっている。これにより、各「ＣＣ」に応じたＫｅＮＢ＊を生成する必要がなくなり、各「ＣＣ」に応じた複数のＫｅＮＢ＊をハンドオーバ時に転送する必要がなくなる。また、敢えて「Ａｎｃｈｏｒ  ＣＣ」を明確化する必要もなくなる。
【０１０５】
（本発明の第１の実施形態に係る移動通信システムの作用・効果）
本発明の第１の実施形態に係る移動通信システムによれば、「ＣＡ」が適用されている場合であっても、Ｘ２ハンドオーバ処理及びＳ１ハンドオーバ処理において、無線基地局の処理負荷とバックホールのシグナリング量を抑えつつ、ＫｅＮＢ＊を生成することができる。
【０１０６】
以上に述べた本実施形態の特徴は、以下のように表現されていてもよい。
【０１０７】
本実施形態の第１の特徴は、セル＃１（第１セル）からセル＃４（第２セル）に移動局ＵＥをハンドオーバさせる移動通信方法であって、セル＃１を管理する無線基地局ｅＮＢ＃１が、生成したＲａｎｄ（乱数）と、セル＃１と移動局ＵＥとの間の通信で用いられていたＫｅＮＢ（第１鍵）或いは交換局ＭＭＥから通知されたＮＨ（所定情報）とに基づいて、セル＃４と移動局ＵＥとの間の通信で用いられるＫｅＮＢ（第２鍵）を生成するためのＫｅＮＢ＊（中間鍵）を生成する工程を有することを要旨とする。
【０１０８】
本実施形態の第１の特徴において、セル＃１を管理する無線基地局ｅＮＢ＃１が、「ＨＯ  Ｃｏｍｍａｎｄ（ハンドオーバ指示信号）」によって、移動局ＵＥに対して、ＮＨに係るＮＣＣ（所定カウンタ）及びＲａｎｄを送信する工程と、移動局ＵＥが、受信したＮＣＣ及びＲａｎｄと、セル＃１との間の通信で用いられていたＫｅＮＢ或いはＫＡＳＭＥ（親鍵）を用いて算出されるＮＨとに基づいて、セル＃４との間の通信で用いられるＫｅＮＢを生成するためのＫｅＮＢ＊を生成する工程を有してもよい。
【０１０９】
本実施形態の第２の特徴は、セル＃１からセル＃４に移動局ＵＥをハンドオーバさせる移動通信方法であって、セル＃４を管理する無線基地局ｅＮＢ＃２が、交換局ＭＭＥから受信したＮＨと、生成したＲａｎｄとに基づいて、セル＃４と移動局ＵＥとの間の通信で用いられるＫｅＮＢを生成するためのＫｅＮＢ＊を生成する工程を有することを要旨とする。
【０１１０】
本実施形態の第２の特徴において、交換局ＭＭＥが、セル＃１を管理する無線基地局ｅＮＢ＃１に対して、セル＃４を管理する無線基地局ｅＮＢ＃２から受信したＮＨに係るＮＣＣ及びＲａｎｄを送信する工程と、セル＃１を管理する無線基地局ｅＮＢ＃１が、「ＨＯ  Ｃｏｍｍａｎｄ」によって、移動局ＵＥに対して、受信したＮＣＣ及びＲａｎｄを送信する工程と、移動局ＵＥが、受信したＮＨに係るＮＣＣに基づいてＫＡＳＭＥを用いてＮＨを生成する工程と、移動局ＵＥが、受信したＲａｎｄと、生成したＮＨとに基づいて、セル＃４との間の通信で用いられるＫｅＮＢを生成するためのＫｅＮＢ＊を生成する工程を有してもよい。
【０１１１】
本実施形態の第３の特徴は、セル＃１からセル＃４への移動局ＵＥのハンドオーバ処理において、セル＃１を管理する無線基地局ｅＮＢ＃１であって、Ｒａｎｄを生成するように構成されている乱数生成部１１と、生成したＲａｎｄと、セル＃１と移動局ＵＥとの間の通信で用いられていたＫｅＮＢ或いはＩｎｔｉａｌ  ＫｅＮＢを用いて算出されるＮＨとに基づいて、セル＃４と移動局ＵＥとの間の通信で用いられるＫｅＮＢを生成するためのＫｅＮＢ＊を生成するように構成されている鍵生成部１２とを具備することを要旨とする。
【０１１２】
本実施形態の第３の特徴において、「ＨＯ  Ｃｏｍｍａｎｄ」によって、移動局ＵＥに対して、ＮＨに係るＮＣＣ及びＲａｎｄを送信するように構成されているハンドオーバ処理部１３を更に具備してもよい。
【０１１３】
本実施形態の第４の特徴は、移動局ＵＥであって、セル＃１からセル＃４へのハンドオーバ処理において、セル＃１を管理する無線基地局ｅＮＢ＃１から「ＨＯ  Ｃｏｍｍａｎｄ」を介して受信したＮＣＣ及びＲａｎｄと、セル＃１との間の通信で用いられていたＫｅＮＢ或いはＫＡＳＭＥを用いて算出されるＮＨとに基づいて、セル＃４との間の通信で用いられるＫｅＮＢを生成するためのＫｅＮＢ＊を生成するように構成されている鍵生成部２２を具備することを要旨とする。
【０１１４】
本実施形態の第５の特徴は、セル＃１からセル＃４への移動局のハンドオーバ処理において、セル＃４を管理する無線基地局ｅＮＢ＃１であって、Ｒａｎｄを生成するように構成されている乱数生成部１１と、交換局ＭＭＥから受信したＮＨ及びＮＣＣと、生成したＲａｎｄとに基づいて、セル＃４と移動局ＵＥとの間の通信で用いられるＫｅＮＢを生成するためのＫｅＮＢ＊を生成するように構成されている鍵生成部１２とを具備することを要旨とする。
【０１１５】
本実施形態の第６の特徴は、移動局ＵＥであって、セル＃１からセル＃２へのハンドオーバ処理において、「ＨＯ  Ｃｏｍｍａｎｄ」を介して受信したＮＣＣ及びＲａｎｄと、ＫＡＳＭＥを用いて算出されるＮＨとに基づいて、セル＃４との間の通信で用いられるＫｅＮＢを生成するためのＫｅＮＢ＊を生成するように構成されている鍵生成部２２を具備することを要旨とする。
【０１１６】
なお、上述の無線基地局ｅＮＢや移動局ＵＥや交換局ＭＭＥの動作は、ハードウェアによって実施されてもよいし、プロセッサによって実行されるソフトウェアモジュールによって実施されてもよいし、両者の組み合わせによって実施されてもよい。
【０１１７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥや交換局ＭＭＥ内に設けられていてもよい。また、かかる記憶媒体及びプロセッサは、ディスクリートコンポーネントとして無線基地局ｅＮＢや移動局ＵＥや交換局ＭＭＥ内に設けられていてもよい。
【０１１９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２０】
ｅＮＢ…無線基地局
ＵＥ…移動局
１１…乱数生成部
１２、２２…鍵生成部
１３、２１…ハンドオーバ処理部
【図１】
2011041158.tif 000003
【図２】
2011041158.tif 000004
【図３】
2011041158.tif 000005
【図４】
2011041158.tif 000006
【図５】
2011041158.tif 000007
【図６】
2011041158.tif 000008
【図７】
2011041158.tif 000009
【図８】
2011041158.tif 000010